(57)【特許請求の範囲】
【請求項１】
外壁材と壁下地との間に形成される通気空間と屋外との間の通気を確保する通気見切材であって、前記外壁材より屋外側において開口する外開口と、通気空間側に開口する内開口と、前記外開口と前記内開口との間を連通する通気路とを備え、前記外開口は下面において下方へ向けて開口すると共に、前記外開口は横方向に沿って長いスリット状に形成され、前記外開口の外壁材側の端縁に下方へ突出する下突片が前記外開口の長手方向に沿って設けられ、前面の前面板の下端部は前記屋外側へ膨出する膨出部として形成されていることを特徴とする通気見切材。
【請求項２】
前記膨出部は、前記屋外側へ向けて下り傾斜する傾斜部と、前記傾斜部の先端から下方へ垂下される垂下部とで形成されていることを特徴とする請求項１に記載の通気見切材。
【請求項３】
建築物の壁下地の前記屋外側に取り付けられた外壁材と前記壁下地との間に通気空間が形成され、前記外壁材の屋根に臨む上端部に配置して、請求項１又は２に記載の通気見切材が取り付けられていることを特徴とする建築物の外壁構造。
【請求項４】
前記壁下地が妻側の壁下地であり、前記外壁材が妻側の外壁材であることを特徴とする請求項３に記載の建築物の外壁構造。
【発明の詳細な説明】
【技術分野】
【０００１】
本発明は、外壁材と壁下地との間に形成される通気空間と屋外との間の通気性を確保するために用いられる通気見切材に関するものであり、また通気見切材を設けて形成される建築物の外壁構造に関するものである。
【背景技術】
【０００２】
建築物の壁下地４に外壁材２を張って取り付ける場合、壁下地４と外壁材２との間に縦胴縁４６を介在させることで、壁下地４と外壁材２との間に通気空間５を形成することがある。この通気空間５と屋外との間で通気性を確保することによって、通気空間５内の湿気が上昇することを抑制し、外壁材２の内面や壁下地４にカビや腐食が発生することを防止することができるものである。
【０００３】
このように形成される通気空間５の上端は、例えば図１１に示すように小屋裏４８に連通されているのが一般的である。この場合、図１１（ａ）の矢印のように通気空間５と小屋裏４８との間で通気がなされ、通気空間５と屋外との通気性は小屋裏４８と連通する換気棟等を介して確保される。
【０００４】
しかし、このように通気空間５と小屋裏４８とを連通させるようにすると、建築物の施工上の制約が大きくなってしまうという問題がある。また、既存の建築物の外壁を改装するために既存の外壁材を壁下地４として新たな外壁材２を取り付ける場合には、この新たな外壁材２と壁下地４の間に通気空間５を形成しても、この通気空間５を小屋裏４８へ連通させることができず、通気空間５の通気性を確保することができないという問題もある。
【０００５】
そこで、外壁材２の屋根３に臨む上端部に配置して取り付けられる見切材Ａに、屋外と通気空間５との間の通気性を確保するための機能を付与することも行われている。図１２に示す例では、外壁材２の上端部を覆う見切材Ａの内部に通気用の通路８を形成し、更にこの見切材Ａに屋外側に連通する外開口６と、屋内側の通気空間５に連通する内開口７とを形成するようにしてある。このものでは図１２（ａ）のａ矢印に示すように、通気空間５と屋外との間の通気を内開口７と通気路８と外開口６を通して行なうことができるものであり、通気空間５と外気との間の通気性を見切材Ａによって確保することができるものである。またこのものでは、通気空間５に連通する内開口７を屋外側の外開口６よりも上方に位置させることで、外開口６から見切材Ａ内に雨水が浸入しても、この雨水が内開口７まで到達し難くなるようにしてある。これに類する見切材Ａは、例えば特許文献１に開示されている。
【先行技術文献】
【特許文献】
【０００６】
【特許文献１】特開２００２−３１７５４９号公報
【発明の概要】
【発明が解決しようとする課題】
【０００７】
しかし、上記の図１２のような見切材Ａを用いるにあたって、家屋の外壁に向けて横殴りの風が吹き付ける場合、外壁材２にこの風が吹き当ると、図１２（ｃ）のｂ矢印のように、外壁材２の表面に吹き当った風は、外壁材２の表面に沿って上昇し、そのまま外開口６から見切材Ａ内に吹き込まれ易い。また見切材Ａの前面板２０に吹き当った風は、図１２（ｃ）のｃ矢印のように、前面板２０の表面から下面に回り、外開口６に至って見切材Ａ内に吹き込まれ易い。そしてこのように外開口６から見切材Ａ内に風が吹き込まれると、この風と共に雨水が外開口６から見切材Ａの通気路８内に吹き込まれることになり、雨水が内開口７から通気空間５へと浸入し易くなるという問題があった。
【０００８】
本発明は上記の事由に鑑みてなされたものであり、外開口から風が吹き込まれることを効果的に防ぐことができ、風と共に雨水が外開口から浸入することを効果的に防いで防水性を高く形成することができる通気見切材を提供することを目的とするものであり、また防水性の高い建築物の外壁構造を提供することを目的とするものである。
【課題を解決するための手段】
【０００９】
本発明に係る通気見切材は、外壁材２と壁下地４との間に形成される通気空間５と屋外との間の通気を確保する通気見切材Ａに関するものである。そして、外壁材２より屋外側において開口する外開口６と、通気空間５側に開口する内開口７と、外開口６と内開口７との間を連通する通気路８とを備え、外開口６は下面において下方へ向けて開口すると共に、外開口６は横方向に沿って長いスリット状に形成され、外開口６の外壁材２側の端縁に下方へ突出する下突片１９が外開口６の長手方向に沿って設けられ、前面の前面板２０の下端部は屋外側へ膨出する膨出部２１として形成されていることを特徴とするものである。
【００１０】
このように外開口６の外壁材２側の端縁に下方へ突出する下突片１９を設けることによって、横殴りの風が外壁材２に吹き当って、外壁材２の表面に沿って上昇しても、この風は下突片１９で遮られて外開口６に流入することを効果的に防ぐことができるものであり、風と共に雨水が外開口６から浸入することを効果的に防いで極めて高い防水性を確保することができるものである。
【００１２】
また、前面板２０の下端部に屋外側へ膨出する膨出部２１を設けることによって、横殴りの風が前面板２０に吹き当って、前面板２０の表面に沿って下降しても、通気見切材Ａの下面にこの風が回り込むことを膨出部２１で効果的に防ぐことができ、風が下面の外開口６に流入することを効果的に防ぐことができるものであり、風と共に雨水が外開口６から浸入することを防いで極めて高い防水性を確保することができるものである。
【００１３】
また本発明において、上記膨出部２１は、屋外側へ向けて下り傾斜する傾斜部２１ａと、傾斜部２１ａの先端から下方へ垂下される垂下部２１ｂとで形成されていることが好ましい。
【００１４】
このように上記の膨出部２１を傾斜部２１ａと垂下部２１ｂで形成することによって、上記のように横殴りの風が前面板２０に吹き当って下降した場合、膨出部２１の傾斜部２１ａによって風は進行方向を屋外側へと変えられるものであり、通気見切材Ａの下面にこの風が回り込むことを効果的に防ぐことができるものである。
【００１５】
本発明に係る建築物の外壁構造は、建築物の壁下地４の屋外側に取り付けられた外壁材２と壁下地４との間に通気空間５が形成され、外壁材２の屋根３に臨む上端部に配置して、通気見切材Ａが取り付けられていることが好ましい。
【００１６】
このように形成される外壁構造にあっては、通気見切材Ａの通気路８を通じて、壁下地４と外壁材２との間の通気空間５を屋外と連通させて、外気の流通を確保することができるものである。そして通気見切材Ａは上記のように外開口６から風と共に雨水が浸入することを効果的に防ぐことができるので、極めて高い防水性を確保することもできるものである。
【００１７】
また本発明に係る建築物の外壁構造において、壁下地２が妻側の壁下地１であり、外壁材２が妻側の外壁材２であることが好ましい。
【００１８】
この場合、通気見切材Ａは傾斜して配置されるが、通気見切材Ａには水が浸入し難いため、通気見切材Ａに浸入した水が傾斜に沿って軒側に移動して、軒側の端部から屋外に噴き出したりし難くなるものである。
【発明の効果】
【００１９】
本発明によれば、上記のように外開口６の外壁材２側の端縁に下方へ突出する下突片  を設けるようにしたもので、横殴りの風が外壁材２に吹き当って、外壁材２の表面に沿って上昇しても、この風は下突片１９で遮られて外開口６に流入することを効果的に防ぐことができるものであり、風と共に雨水が外開口６から浸入することを効果的に防いで、防水性が極めて高い通気見切材Ａを形成することができるものである。
【００２０】
また上記のように前面板２０の下端部に屋外側へ膨出する膨出部２１を設けるようにしたので、横殴りの風が前面板２０に吹き当って、前面板２０の表面に沿って下降しても、通気見切材Ａの下面にこの風が回り込むことを膨出部２１で効果的に防いで、風が下面の外開口６に流入することを効果的に防ぐことができるものであり、風と共に雨水が外開口６から浸入することを効果的に防いで、極めて高い防水性を確保することができるものである。
【図面の簡単な説明】
【００２１】
【図１】本発明の実施の形態の一例を示す一部の断面図である。
【図２】本発明の実施の形態の一例における通気見切材の一部破断した正面図である。
【図３】本発明の実施の形態の一例を示す一部破断した斜視図である。
【図４】本発明の実施の形態の一例を示すものであり、（ａ）は家屋を示す縮小した正面図、（ｂ）は接続した通気見切材を示す正面図である。
【図５】本発明の実施の形態の一例におけるエンドキャップを示すものであり、（ａ）は正面図、（ｂ）は側面図、（ｃ）は平面図、（ｄ）はパッキンを張った状態の正面図、（ｅ）は通気見切材にエンドキャップを取り付けた状態の断面図である。
【図６】本発明の実施の形態の一例におけるジョイント部材を示すものであり、（ａ）は正面図、（ｂ）は側面図、（ｃ）は平面図、（ｄ）はパッキンを張った状態の正面図、（ｅ）は通気見切材にジョイント部材を取り付けた状態の断面図である。
【図７】本発明の実施の形態の一例における頂点カバーを示すものであり、（ａ）は側面図、（ｂ）は正面図、（ｃ）は底面図である。
【図８】本発明の実施の形態の一例における施工の手順を示すものであり、（ａ）乃至（ｄ）はそれぞれ斜視図である。
【図９】本発明の実施の形態の一例における施工の手順を示すものであり、（ａ）乃至（ｄ）はそれぞれ斜視図である。
【図１０】参考例を示す断面図である。
【図１１】従来技術の一例を示す図であり、（ａ）は概略断面図、（ｂ）は破断した斜視図である。
【図１２】従来技術の他例を示す図であり、（ａ）は概略断面図、（ｂ）は破断した斜視図、（ｃ）は一部の拡大した断面図である。
【発明を実施するための形態】
【００２２】
以下、本発明を実施するための最良の形態について説明する。
【００２３】
通気見切材Ａは、アルミニウム押出成形品などで形成される二つの部材（基体１２と仕切体１７）の組み合わせで構成されている。勿論、通気見切材Ａの構成はこのようなものに限定されるものではない。例えばアルミニウム押出成形などによって全体を一体成形品として形成するようにしてもよく、また金属製の板材に折り曲げ加工や打ち抜き加工等をして形成するようにしてもよい。
【００２４】
以下、通気見切材Ａが外壁材２の屋根３に臨む上端部に配置して取り付けられた状態を想定して、本実施形態に係る通気見切材Ａの構造を説明する。勿論、通気見切材Ａが取り付けられる位置はこのような位置に限定されるものではなく、例えば、一階と二階の境界付近で上下に位置する外壁材２、２間のように、壁面の途中において配置してもよい。通気見切材Ａは外壁材２の上端面の上方に配置される基体１２と、基体１２の内部に取り付けられる仕切体１７とから形成されるものであり、基体１２と仕切体１７はいずれも外壁材２の横方向に沿って長い長尺物である。
【００２５】
基体１２は、上面板１８と前面板２０と背面板１３から、下面開口の断面コ字形に形成されるものであり、その前面（屋外側の面）が前面板２０となるものであって、この前面板２０に縦断面波状の凹凸１６が図２のように全長に亘って設けてある。基体１２の前面板２０にこのような凹凸１６を形成することによって、通気見切材Ａの意匠性を向上し、通気見切材Ａが屋外に露出しても外壁の意匠性悪化を招かないようにすることができるものである。また凹凸１６によって通気見切材Ａの強度を向上することができるものであり、さらに表面に雨水等の水が付着しても、この凹凸１６によって表面の水切り性が高くなり、通気見切材Ａの表面に水滴が残留することを抑制できるものである。基体１２の背面（屋内側の面）の背面板１３は、下端が前面板２０より下方へ延出されるように上下幅を広く形成してある。
【００２６】
仕切体１７は背面が開口する断面略コ字形に形成されるものであり、上下の各背面側端部にはそれぞれ係合突部３３ａと引掛け突部３３ｂが設けてある。一方、上記の基体１２の背面板１３に係合凹部２７と引掛け受部２８が設けてある。そして、仕切体１７を基体１２内に配置し、係合凹部２７に係合突部３３ａを挿入係合させた状態で、この係合部３３ａを中心にして仕切体１７を回動させて、引掛け受部２８に引掛け突部３３ｂを弾性的に引掛け係止させることによって、基体１２内に仕切体１７を固定することができ、通気見切材Ａを組み立てることができるものである。このように基体１２内に仕切体１７を取り付けることによって、通気見切材Ａ内を通気路８と中空部１５とに仕切ることができるものである。仕切体１７には中空部１５内において一対の固定具用凸部２２が突設してあり、この固定具用凸部２２で囲まれて、通気見切材Ａの長手方向両端部で開口する固定具用穴２３が形成されるようにしてある。
【００２７】
上記のように基体１２内に形成される通気路８は、基体１２の屋外側下端部から上方へ向かう縦通気路８ａと、この縦通気路８ａと上下方向に連通し、且つこの縦通気路８ａの上方から屋内側へ横方向に向かう横通気路８ｂから構成されている。仕切体１７の前面の下部は傾斜しており、この傾斜によって、縦通気路８ａの底部の内面に屋内側から屋外側へ向けて下り傾斜する外傾斜面９が形成されるようになっている。また仕切体１７の上面は傾斜しており、この傾斜によって、横通気路８ｂの底部の内面に屋内側から縦通気路８ａの上端へ向けて下り傾斜する内傾斜面１１が形成されるようになっている。
【００２８】
通気見切材Ａの屋外側端部の下面には、通気見切材Ａの長手方向（横方向）に沿って長い外開口６が形成されている。この外開口６は、基体１２の前面板２０の下端と、仕切体１７の前面の下端との間の隙間としてスリット状に形成されているものであり、通気路８の縦通気路８ａの下端部はこの外開口６によって下方へ開口している。また基体１２の背面板１３の上端部に内開口７が形成してある。この内開口７は丸孔状、或いは通気見切材Ａの長手方向に沿って長い長孔状として形成してあり、通気見切材Ａの長手方向に沿って所定間隔で複数設けるようにしてある。この内開口７は通気路８の横通気路８ｂの屋内側端部において開口するものであり、これにより、外開口６と内開口７は通気路８を介して連通しているものである。ここで、内開口７は外開口６よりも上方に位置するものであり、内開口７と外開口６の高低差は適宜設定されるが、内開口７の下端と外開口６の上端との高低差が２５〜７０ｍｍの範囲であることが好ましい。
【００２９】
ここで、基体１２の前面板２０の下端部を屋外側へ向けて斜め下方へ傾斜するように屈曲して傾斜部２１ａを形成すると共に、さらに傾斜部２１ａの下端を下方へ垂下するように屈曲して垂下部２１ｂを形成し、傾斜部２１ａと垂下部１ｂとから構成される膨出部２１が前面板２０の下端部に形成されるようにしてある。傾斜部２１ａの傾斜角度は上記の外傾斜面９の傾斜角度とほぼ等しく形成してある。勿論、膨出部２１の形状はこのような形状に限定されるものではなく、例えば、前面板２０の下端を屋外側へ向けて水平に突出するものであってもよい。また仕切体１７の屋外側端部の下面に下突片１９が通気見切材Ａの長手方向全長に亘って突設してある。この下突片１９は外開口６の屋内側の開口端縁に沿って配置されるものである。
【００３０】
また上記の通気路８内には、外傾斜面９の上方に、仕切体１７から屋外側へ向けて突出する水返し１０と、基体１２の前面板２０から屋内側へ向けて突出する水返し１０とが、上下に並んで交互に複数設けられている。この複数の水返し１０として、下方に位置するものから順に、第一の水返し１０ａ、第二の水返し１０ｂ、第三の水返し１０ｃ、及び第四の水返し１０ｄが設けられている。
【００３１】
最も下側に設けられている第一の水返し１０ａは、縦通気路８ａ内で仕切体１７の外面から屋外側へ向けて突出している。この第一の水返し１０ａの位置は外傾斜面９の上方近傍であることが好ましく、例えば外傾斜面９の屋内側端部と第一の水返し１０ａの縦通気路８ａの内面からの突出位置との高低差が３〜１０ｍｍの範囲となるようにするのがよい。第二の水返し１０ｂは、縦通気路８ａ内で前面板２０の内面から屋内側へ向けて突出している。第三の水返し１０ｃは、縦通気路８ａの上端において仕切体１７の外面から屋外側へ向けて突出している。この第三の水返し１０ｃの上面は、上記の内傾斜面１１の一部を構成している。第四の水返し１０ｄは、縦通気路８ａの上方の横通気路８ｂ内で前面板２０の内面から屋内側へ向けて突出している。これらの各水返し１０は突出方向に向けて下り傾斜しているものであり、各水返し１０の突出先端に下方へ水切片２５を突設してある。また、最も下側に配置されている第一の水返し１０ａの先端の直下には外傾斜面９が位置し、それ以外の水返し１０の先端の直下には、この水返し１０の一つ下側の他の水返し１０の上面が位置している。
【００３２】
上記のように形成される通気見切材Ａは、図１及び図３に示すように、軒下の壁面において、外壁材２の屋根３に臨む上端部に取り付けて使用されるものである。すなわち、壁下地板や防水シート等で構成される壁下地４の屋外側外面に、上下方向の壁下構造材として縦胴縁４６が壁下地４に沿って間隔をあけて複数本設けてあり、この縦胴縁４６に外壁材２を固定することによって、外壁材２が壁面に張ってある。このため外壁材２と壁下地４との間に縦胴縁４６が介在し、隣り合う縦胴縁４６の間で、外壁材２と壁下地４との間に通気空間５が形成される。勿論、このように縦胴縁４６によって通気空間５を形成するようにする他、一般的に通気金具と称される外壁材２の固定用金具を用いて通気空間５を形成するようにしてもよい。ここで壁下地４は、改装前の建築物における既存の外壁材であっても良く、この場合、壁下地４の屋外側に取り付けられる外壁材２は建築物の壁面の改装のための新たな外壁材２である。そしてこの外壁材２の屋根３に臨む上端部（軒天井材２４と対向する端部）に配置して通気見切材Ａが取り付けられるものである。
【００３３】
通気見切材Ａは外壁材２の上端の上方に配置されるものであり、その背面板１３の下端部を縦胴縁４６に釘等の固定具４５で固定すると、通気見切材Ａの取付け強度が高くなる。また通気見切材Ａの下面と外壁材２の上端面との間には屋内側にバックアップ材３４を詰め、このバックアップ材３４の屋内側にシーリング材３５を充填することによって、防水処理が施してある。シーリング材３５としては、例えば一般に湿式系と称される変性シリコン等から成るコーキング剤、乾式系と称される発泡樹脂や発泡ゴムなどからなるガスケットなどを使用することができる。バックアップ材３４は樹脂等で形成されていてもよいが、板金等で形成された片ハット型のバックアップ材３４を用いるようにしてもよい。また、通気見切材Ａの上面は軒天井材２４に当接してあり、通気見切材Ａの前面板２０の上端外面と軒天井材２４の下面に三角シーリング材３６を充填することによって、防水処理が施してある。
【００３４】
ここで、通気見切材Ａは、桁側の軒下に沿って水平に取り付けて使用する他、切妻屋根の妻側の壁面の軒下において、屋根３の傾斜に沿って斜めに取り付けて使用することもできる。図４は妻壁に屋根３の傾斜に沿って斜めに取り付けた状態の通気見切材Ａを示すものであり、このとき、図３に示すように、屋根の傾斜に合わせて斜めに切断した外壁材２の切断端面の上に通気見切材Ａを配置して取り付けることになる。
【００３５】
通気見切材Ａを上記のように取り付けるにあたっては、複数本の通気見切材Ａをその長手方向に連結するようにしてもよい。通気見切材Ａを妻壁に取り付ける場合は、図４（ｂ）のように通気見切材Ａを斜め上下方向に一直線にジョイント部材３７で接続し、妻壁の頂部において頂点カバー５０で両側の通気見切材Ａを接続するようにしてある。また端部に配置される通気見切材Ａの下側の端面にはエンドキャップ５２を取り付けて、通気見切材Ａの端部の開口を塞ぐようにしてある。
【００３６】
次に、通気見切材Ａを妻壁に取り付ける施工の手順について説明する。まず端部に配置される通気見切材Ａにエンドキャップ５２を取り付ける。図５にエンドキャップ５２の一例を示す。このエンドキャップ５２は、通気見切材Ａの端面の外形形状・寸法にほぼ合致する外形のエンド板５３の片面に嵌合鍔片５４を突設して形成されるものである。このエンド板５３の屋外側の端部で且つ下端部の位置に、屋外側へ向けて斜め下方にストッパー片５５が一体に延設してあり、このストッパー片５５の下縁に沿って屋外側へ向けて斜め下方へ傾斜するガイド片５６が突設してある。嵌合鍔片５４はエンド板５３の片面の３箇所に設けてあり、エンド板５３の上端縁に沿った嵌合鍔片５４ａは、通気見切材Ａの基体１２の上面板１８と平行な形状に、エンド板５３の前端縁に沿った嵌合鍔片５４ｂは、通気見切材Ａの基体１２の前面板２０及びその膨出部２１と平行な形状に、エンド板５３の後端縁から下端縁に沿った嵌合鍔片５４ｃは、通気見切材Ａの基体１２の背面板２０から仕切体１７の下片と平行な形状に、それぞれ形成されるものである。エンド板５３の中央部には固定用孔５７が穿設してある。尚、エンド板５３の嵌合鍔片５４を設けた側の面にはＥＰＤＭ等のゴムなどのパッキン５８を貼着するようにしてあり、パッキン５８を貼着する範囲を図５（ｄ）に示す。
【００３７】
そして図８（ａ）に示すように通気見切材Ａの端部にエンドキャップ５２を配置し、図５（ｅ）に示すように、嵌合鍔片５４ａを通気見切材Ａの基体１２の上面板１８の下面に、嵌合鍔片５４ｂを通気見切材Ａの基体１２の前面板２０及びその膨出部２１の外面に、嵌合鍔片５４ｃを通気見切材Ａの基体１２の背面板２０と仕切体１７の下片の内面に、それぞれ差し込み嵌合することによって、通気見切材Ａの端部にエンドキャップ５２を取り付けることができるものである。さらに固定用孔５７を通したビス等の固定具６０を仕切体１７の固定具用穴２３にねじ込むことによって、エンドキャップ５２を通気見切材Ａの端部に固定することができるものであり、通気見切材Ａの端面の開口をエンド板５３で塞ぐことができるものである。このとき、エンドキャップ５２に設けたパッキン５８に通気見切材Ａの端面を圧接させることによって、防水性を確保できるようにしてある。また、エンドキャップ５２に設けたガイド片５６の上端部に、通気見切材Ａの外開口６の端縁の下突片１９の下端が当接乃至近接対向するようにしてある。従って、ガイド片５６は外開口６の直下に位置しているものである。
【００３８】
このようにエンドキャップ５２を取り付けた通気見切材Ａを屋根３の傾斜に沿うように斜めに配置して、図８（ｂ）のように、基体１２の背面板１３の下部を通してビス等の固定具４５を縦胴縁４６に打ち込むことによって、この通気見切材Ａを縦胴縁４６に取り付けるものである。次に、この縦胴縁４６に取り付けた通気見切材Ａに他の通気見切材Ａを接続して連結する。
【００３９】
図６に、通気見切材Ａを連結するために用いられるジョイント部材３７の一例を示す。このジョイント部材３７は、通気見切材Ａの端面の外形形状・寸法にほぼ合致する外形のジョイント板３８の両面に嵌合鍔片３９を突設して形成されるものである。このジョイント板３８の屋外側の端部で且つ下端部の位置に、屋外側へ向けて斜め下方にストッパー片４０を一体に延設してあり、このストッパー片４０の両面のそれぞれ下縁に沿って屋外側へ向けて斜め下方へ傾斜するガイド片４１が突設してある。上記の嵌合鍔片３９はジョイント板３８の両面のそれぞれ３箇所に設けてあり、ジョイント板３８の上端縁に沿った嵌合鍔片３９ａは、通気見切材Ａの基体１２の上面板１８と平行な形状に、ジョイント板３８の前端縁に沿った嵌合鍔片３９ｂは、通気見切材Ａの基体１２の前面板２０及びその膨出部２１と平行な形状に、ジョイント板３８の後端縁から下端縁に沿った嵌合鍔片３９ｃは、通気見切材Ａの基体１２の背面板２０から仕切体１７の下片と平行な形状に、それぞれ形成されるものである。ジョイント板３８の中央部には固定用孔４２が穿設してある。尚、ジョイント板３８の両面にはそれぞれＥＰＤＭ等のゴムなどのパッキン４３を貼着するようにしてあり、パッキン４３を貼着する範囲を図６（ｄ）に示す。
【００４０】
そして図８（ｃ）に示すように連結する通気見切材Ａの端部にジョイント部材３７を配置し、図６（ｅ）に示すように、ジョイント板３８の一方の面に設けた嵌合鍔片３９ａを通気見切材Ａの基体１２の上面板１８の下面に、嵌合鍔片３９ｂを通気見切材Ａの基体１２の前面板２０及びその膨出部２１の外面に、嵌合鍔片３９ｃを通気見切材Ａの基体１２の背面板２０と仕切体１７の下片の内面に、それぞれ差し込み嵌合することによって、通気見切材Ａの端部にジョイント部材３７を取り付けることができるものである。さらに固定用孔４２を通したビス等の固定具６０を仕切体１７の固定具用穴２３にねじ込むことによって、ジョイント部材３７を通気見切材Ａの端部に固定することができるものであり、通気見切材Ａの端面の開口がジョイント板３８で塞がれるものである。このとき、ジョイント部材３７に設けたパッキン５８に通気見切材Ａの端面を圧接させることによって、防水性を確保できるようにしてある。また、ジョイント部材３７に設けたガイド片４１の上端部に、通気見切材Ａの外開口６の端縁の下突片１９の下端が当接乃至近接対向するようにしてある。従って、ガイド片４１は外開口６の直下に位置しているものである。
【００４１】
このように連結する側の通気見切材Ａの端部にジョイント部材３７を取り付けた後、上記のように縦胴縁４６に取り付けた通気見切材Ａのエンドキャップ５２を取り付けていない側の端部に、図８（ｄ）の矢印のように、このジョイント部材３７を接続する。このジョイント部材３７の接続は、ジョイント部材３７の突出する側の嵌合鍔片３９を上記と同様に通気見切材Ａの端部に差し込み嵌合することによって行なうことができる。このようにしてジョイント部材３７を用いて一対の通気見切材Ａを一直線に連結することができるものであり、このとき図８（ｄ）のように、通気見切材Ａを連結する箇所において縦胴縁４６に防水テープ６２を貼っておき、連結部の防水処理をするようにしてある。
【００４２】
上記のようにして妻壁の頂部を挟む両側にそれぞれ通気見切材Ａを取り付けた後、上側の通気見切材Ａの上端部間に頂点カバー５０を取り付けて連結する。図７に頂点カバー５０の一例を示す。頂点カバー５０は、前片６４の上端と下端に上片６５と下片６６を屈曲して設けることによって、背面側に開口する断面コ字形に形成されるものであり、下片６６の後端に固定片６７が下方へ垂下して設けてある。また頂点カバー５０の左右両側端部において、前片６４の下端部から下片６５の前端部にかけて切り欠くことによって切欠部７０が形成してある。さらに上片６５を除いて、前片６４から下片６６、固定片６７にかけて、通気見切材Ａの左右中央に切離し線６８が切欠して設けてある。
【００４３】
そして図９（ａ）に示すように、切離し線６８の部分において頂点カバー５０の固定片６７、下片６６、前片６４にかけて屋根勾配に合わせてカットし、上片６５の左右中央部を逆Ｖ型に折り曲げることによって、図９（ｂ）に示すように、屋根勾配に合うように屈曲した頂点カバー５０を形成することができる。この頂点カバー５０の両端部にはシーリング材６９を施しておくのが好ましい。ここで、妻壁の頂部の部分において図９（ｃ）のように通気見切材Ａは上端部同士を隙間を介して対向してあり、通気見切材Ａを対向させた部分において縦胴縁４６に防水テープ６２を貼って、頂点カバー５０で通気見切材Ａを接続する部分の防水性を確保するようにしてある。この通気見切材Ａの対向する端部の間に跨って頂点カバー５０を配置し、頂点カバー５０の左右両端部の前片６４、上片６５、下片６６を通気見切材Ａの端部の外面に重ねることによって、図９（ｄ）のように通気見切材Ａの対向する端部同士を連結することができる。そして、固定片６７の重ね合わせた部分をビス等の固定具７１で縦胴縁４６に打ち付けることによって、頂点カバー５０を固定することができるものである。このとき、通気見切材Ａの前面下端部の膨出部２１は、頂点カバー５０の切欠部７０内に収められるようになっており、膨出部２１が邪魔になるようなことなく、頂点カバー５０を取り付けることができるようにしてある。
【００４４】
上記のようにして通気見切材Ａを備えて形成される建築物の外壁構造にあって、通気見切材Ａの外開口６が屋外に開口すると共に、内開口７が壁下地４と外壁材２との間の通気空間５に開口するので、外開口６、通気路８及び内開口７を通じて、通気空間５を屋外と連通させることができる。このように、通気空間５と外気との間の通気性を通気見切材Ａで確保することができるので、連通空間５内の空気は図３のイ矢印のように、内開口７から通気見切材Ａ内に流入し、通気路８を通過した後に、外開口６から排気される。従って、壁下地４と外壁材２との間の通気空間５内に湿気がこもったりして湿度が上昇することを抑制することができるものである。
【００４５】
また、風等により雨水等が外開口６から通気路８内に吹き込むなどして、図３のロ矢印のように通気路８内に水が浸入しても、この水は外傾斜面９に誘導されて第一の水返し１０ａに遮られ、この第一の水返し１０ａから外傾斜面９へ落下し、この外傾斜面９の傾斜に沿って戻されて外開口６から屋外へ排出される。第一の水返し１０ａで遮られずに更に水が浸入しても、この水はまず縦通気路８ａを進まなければならず、この縦通気路８ａを登りきって水が屋内側へ浸入することは困難である。更に、外傾斜面９の上方には第一の水返し１０ａを含む複数の水返し１０が屋内側と屋外側から交互に突出するように設けられているので、水の浸入は複数の水返し１０によって遮られる。このとき、複数の水返し１０を避けて水が浸入するための経路は上方に向かって蛇行する経路となり、このように経路が複雑化することにより、水の浸入が著しく困難になる。また、第一の水返し１０ａの上方の水返し１０で遮られた水は、各水返し１０の先端の水切片２５から下方へ落下し、この水返し１０の一つ下方の他の水返し１０の上面で受け止められる。水返し１０の上面の水はこの上面の傾斜によって水返し１０の先端側へ誘導されて水切片２５から下方へ落下し、最終的には外傾斜面９に達して外開口６から排出される。このため複数の水返し１０で遮られた水は通気路８内に残留することなく外開口６へ効率良く送られて排出される。
【００４６】
また例え、水が横通気路８ｂまで浸入したとしても、縦通気路８ａを通じて上方向に吹き上がった水が横通気路８ｂを横方向に移動して内開口７まで達するのは困難であり、この水は内開口７まで達することなく横通気路８ｂの底部に付着することになる。この横通気路８ｂ内の底部に付着した水は内傾斜面１１に沿って移動し、第三の水返し１０ｃの先端から縦通気路８ａへ落下して、水返し１０で遮られた水と同様に外開口６から排出される。このため、横通気路８ｂまで浸入した水も通気路８内に残留することなく外開口６へ効率良く戻されて排出される。
【００４７】
ここで、通気路８内に浸入した水が排出される前に、強風時に気流が外開口６から通気路８内に勢いよく流れ込んで通気路８内の圧力が通気空間５内の圧力よりも高くなると、圧力差により通気路８から通気空間５へ向けて強い気流が発生して、この気流で通気路８内の水が内開口７から通気空間５側へ押し出されるおそれがある。しかし、この気流は水返し１０によって効率よく遮蔽されるため、内開口７側の圧力の上昇は抑制される。このため、前記のような圧力差による水の浸入も効果的に防止されるものである。
【００４８】
このようにして、通気路８内に浸入した水が内開口７まで達することを効果的に防ぐことができるものであり、壁下地４と外壁材２との間の湿気の上昇を抑制することができるものである。また通気路８内の水は外開口６から効率良く排出されるため、通気路８内には水が残留し難くなるものであり、通気路８内で蒸発した水分が内開口７を介して通気空間５に流入することを防ぐことができ、壁下地４と外壁材２との間の湿気の上昇を更に有効に抑制することができるものである。尚、外壁材２は雄実と雌実の合いじゃくりで上下に接続されるが、この雄実や雌実の合いじゃくり面７２を横走りする雨水は、図３のハ矢印のようにシーリング材３５で遮られて屋外面側へ排出され、防水性が確保されている。
【００４９】
ここで、横殴りの風が外壁材２に吹き当った場合、この風は図１のイ矢印のように、外壁材２の表面に沿って上昇することがある、このように外壁材２の表面に沿って上昇した風は通気見切材Ａの下面に当って屋外側へと向きを変え、通気見切材Ａの外開口６へと向かって進む。しかし外開口６の外壁材２側の端縁には下方へ突出する下突片１６が設けてあるので、風はこの下突片１６で遮られて図１のロ矢印のように下方へと向きを変えることになり、風が外開口６に流入することを防ぐことができるものである。従って、風と共に雨水が外開口６から浸入することを防ぐことができるものであり、通気見切材Ａの防水性を高いものとすることができ、通気空間５への雨水の浸入をより有効に防ぐことができるものである。
【００５０】
また、横殴りの風が通気見切材Ａに吹き当たった場合、図１のハ矢印のように、通気見切材Ａの前面板２０に吹き当った風が前面板２０の表面に沿って下降することがある。このように風が前面板２０に沿って下降しても、図１のニ矢印のように、前面板２０の膨出部２１の傾斜部２１ａによって風の向きは屋外側へと変換される。このため、通気見切材Ａの下面にこの風が回り込むことを膨出部２１で防ぐことができるものであり、風が下面の外開口６に流入することを防ぐことができるものである。従って、風と共に雨水が外開口６から浸入することを防ぐことができるものであり、通気見切材Ａの防水性を高いものとすることができ、通気空間５への雨水の浸入をより有効に防ぐことができるものである。また、前面板２０に吹き当った風は、前面板２０の全長に亘って上記のように設けた凹凸１６によって、風向きがいくらか横方向に変換されるものであり、風が下面の外開口６に流入することをより効果的に防ぐことができるものである。
【００５１】
上記のように、外開口６から通気見切材Ａの通気路８内に浸入した雨水などの水は、通気路８内に残留することなく外開口６の側へ流し戻されて、外開口６から排出されるが、通気見切材Ａが妻壁に用いられる場合のように、屋根勾配に沿って傾斜した状態で取り付けられている場合、水はこの傾斜に従って通気路８内を通気見切材Ａの長手方向に沿って流れることになる。そして通気見切材Ａの傾斜の下側の端部の開口はジョイント部材３７やエンドキャップ５２で塞がれているので、通気見切材Ａ内を長手方向に流れた水はジョイント部材３７やエンドキャップ５２で堰止められ、このジョイント部材３７やエンドキャップ５２の箇所に集められた状態で、外開口６から排出されることになる。従って、通気見切材Ａ内に侵入した水は、ジョイント部材３７やエンドキャップ５２で塞がれた端部に集中して、多量の水の流れとして外開口６から排出されることになる。そしてこの多量の水の流れが外壁材２の表面を流れると、水垢の筋状の汚れが外壁材２に付着するなど汚れが発生し易い。
【００５２】
そこで図５（ｅ）に示すように、エンドキャップ５２のエンド板５３にストッパー片５５を屋外側へ延設すると共にストッパー片５５の下縁に沿って屋外側へ向けて斜め下方へ傾斜するガイド片５６を突設し、エンドキャップ５２を通気水切材Ａの端部に取り付けた際に、ガイド片５６の上端に外開口６の下突片１９の下端が当接乃至近接対向するようにしてある。また図６（ｅ）に示すように、ジョイント部材３７のジョイント板３８にストッパー片４０を屋外側へ延設すると共にストッパー片４０の下縁に沿って屋外側へ向けて斜め下方へ傾斜するガイド片４１を突設し、ジョイント部材３７を通気水切材Ａの端部に取り付けた際に、ガイド片４１の上端に外開口６の下突片１９の下端が当接乃至近接対向するようにしてある。従って、通気見切材Ａの通気路８内を長手方向に沿って流れて、ジョイント部材３７やエンドキャップ５２で堰止められた水が外開口６から排出される際に、図５（ｅ）のイ矢印や図６（ｅ）のロ矢印のように、ストッパー片５５，４０で堰止められた状態でガイド片５６，４１の上を流れて、外開口６より屋外側へ離れた位置で排出される。このように、外開口６より屋外側へ離れて、外壁板２の表面から遠い位置で水が排出されるので、多量の水の流れとして排出されても外壁板２の表面を伝って水が流れるようなことを効果的に抑制することができるものであり、水垢などで外壁材２が汚れることを抑制することができるものである。
【００５３】
尚、図１２の従来例のように、通気見切材Ａを下面が開口するコ字形に形成して、通気見切材Ａ内に外壁材２の上端部を差し込むようにしたものでは、外壁材２の板厚のばらつきや、施工時の差し込みのばらつきなどで、通気見切材Ａ内の通気路８の幅にばらつきが生じたり、場合によっては通気路８が外壁材２で塞がれたりすることがある。
【００５４】
図１０はこのような問題を解決するものとして、本発明者によって発明されたものである。図１０の通気見切材Ａは、アルミニウムの押出し成形などで中空に作製してあり、縦幅小さい前部中空部７５と、縦幅が大きい後部中空部７６とから、全体形状を断面倒Ｌ字形に形成してある。そして前部中空部７５の前面（屋外側の面）に外開口６が、後部中空部７６の下面に内開口７がそれぞれ設けてある。また前部中空部７５の後部中空部７６側の端部に水切り片７７が上方へ突出してある。この通気見切材Ａにあって、中空内部が通気路８となるものであり、外開口６と内開口７は通気路８によって連通している。
【００５５】
この通気見切材Ａは、図１〜図９で説明したものと同様に使用されるものであるが、外壁材２の上端部は前部中空部７５と後部中空部７６の間の入隅部７８に嵌め込むようにして配置される。従ってこのものでは、外壁材２の厚みにばらつきがあっても、施工にばらつきがあっても、通気見切材Ａ内の通気路８の寸法は何等影響を受けることがないものである。
【００５６】
そして、通気空間５内の空気は、図１０のイ矢印のように、内開口７から通気見切材Ａ内の通気路８に流入し、通気路８を通過した後に、外開口６から排出される。このとき、上記のように通気路８の寸法は中空の通気見切材Ａによって確保されており、外壁材２の厚みのばらつき等の影響を受けないので、通気空間５内の空気を通気路８を通してスムーズに排出することができるものである。また、外開口６から通気見切材Ａの前部中空部７５内に雨水などが浸入しても、この水は水切り片７７で遮られて、後部中空部７６へと流れることを防ぐことができ、水が内開口７から通気空間５内に浸入することを防ぐことができるものである。
【符号の説明】
【００５７】
２    外壁材
３    屋根
４    壁下地
５    通気空間
６    外開口
７    内開口
８    通気路
１９  下突片
２０  前面板
２１  膨出部
２１ａ  傾斜部
２１ｂ  垂下部
【図１】
0005457862.tif 000002
【図２】
0005457862.tif 000003
【図３】
0005457862.tif 000004
【図４】
0005457862.tif 000005
【図５】
0005457862.tif 000006
【図６】
0005457862.tif 000007
【図７】
0005457862.tif 000008
【図８】
0005457862.tif 000009
【図９】
0005457862.tif 000010
【図１０】
0005457862.tif 000011
【図１１】
0005457862.tif 000012
【図１２】
0005457862.tif 000013